(57)【要約】【課題】本発明は名画展示用スポットライトを開示した。【解決手段】壁を含み、前記壁の中には駆動チャンバが設けられ、前記駆動チャンバの右端には連動チャンバが設けられ、前記駆動チャンバの中には外部空間と連通した横向きスライド溝が設けられ、前記横向きスライド溝の下端壁には外部空間と連通した展示溝が設けられ、前記展示溝と前記駆動チャンバとの間には連結スライド溝が連通するように設けられ、前記駆動チャンバの右端壁にはモーターが設けられ、前記モーターの中にはモーター軸が設けられ、前記モーター軸の右端と前記連動チャンバの右端壁とが回転できるように連結され、前記モーター軸の左端には第一ネジ山ブロックと第二ネジ山ブロックとがそれぞれねじ山によって連結されている。【選択図】図１
2020184506.tif 000002
【特許請求の範囲】
【請求項１】
正面視で、壁を含み、前記壁の中には駆動チャンバが設けられ、前記駆動チャンバの右端には連動チャンバが設けられ、前記駆動チャンバの中には外部空間と連通した横向きスライド溝が設けられ、前記横向きスライド溝の下端壁には外部空間と連通した展示溝が設けられ、前記展示溝と前記駆動チャンバとの間には連結スライド溝が連通するように設けられ、前記駆動チャンバの右端壁にはモーターが設けられ、前記モーターの中にはモーター軸が設けられ、前記モーター軸の右端と前記連動チャンバの右端壁とが回転できるように連結され、前記モーター軸の左端には第一ネジ山ブロックと第二ネジ山ブロックとがそれぞれねじ山によって連結され、前記第一ネジ山ブロックと前記第二ネジ山ブロックとが前記横向きスライド溝とスライドできるように連結され、前記第一ネジ山ブロックの下端面には連動板が固定的に設けられ、前記第二ネジ山ブロックの左端面には小ブロックが上下に対称的に固定的に設けられ、前記小ブロックには凹ブロックがスライドできるように連結され、前記凹ブロックと前記小ブロックとにはそれぞれ小バネが連結され、前記凹ブロックの中には回転軸が回転できるように連結され、前記回転軸には保護板が固定的に設けられ、前記保護板の下端面にはロック溝が設けられ、前記保護板の右端面にはライトが三つ固定的に設けられ、前記保護板の左端面には第二通電ヘッドが固定的に設けられ、前記横向きスライド溝の上端面には第一通電ヘッドが固定的に設けられ、前記第一通電ヘッドと前記第二通電ヘッドとが接続されたとき、前記ライトが光を放ち、前記連動チャンバの左右端壁には貫通軸が回転できるように連結され、前記貫通軸と前記モーター軸とにはプーリーが上下に対称的に固定的に設けられ、前記プーリーの間にはベルトが連結され、前記貫通軸の左端が左へ伸びて前記連動チャンバの左端壁を貫通して前記駆動チャンバの中に入り、且つ前記駆動チャンバの右端壁と回転できるように連結され、前記貫通軸の左端には前記連結スライド溝とスライドできるように連結された第三ネジ山ブロックがねじ山によって連結され、前記連結スライド溝と前記モーター軸とのねじ山の方向が逆であり、前記展示溝の中には名画を置くことができる展示装置が設けられ、前記駆動チャンバと前記連動チャンバとの中には名画の安全を保護するロック解除装置も設けられていることを特徴とする名画展示用スポットライト。
【請求項２】
前記展示装置は前記展示溝の中にスライドできるように取り付けられた額を含み、前記額の中にはガラスが設けられ、前記ガラスを通して前記額の内部を見ることができ、前記額と前記展示溝との間には押し動かしバネ上下に対称的に連結され、前記第三ねじ山ブロックは前記額を押し動かすことができることを特徴とする請求項１に記載の名画展示用スポットライト。
【請求項３】
前記ロック解除装置は前記駆動チャンバの中にスライドできるように取り付けられた長板を含み、前記長板の上端面には前記連動板とスライドできるように連結されることができる台形ブロックが固定的に設けられ、前記台形ブロックの右端面には位置制限スライド溝が設けられ、前記位置制限スライド溝の中には位置制限機構が設けられ、前記長板の下端面には連結バネが左右に対称的に連結され、前記駆動チャンバの上端壁には前記展示溝と連通した小孔が設けられ、前記長板の上端面には前記ロック溝とスライドできるように連結されたロックブロックが固定的に設けられ、前記駆動チャンバと前記連動チャンバとの間には位置制限引っ掛かり溝が連結され、前記位置制限引っ掛かり溝の上端壁には移動スライド溝が設けられ、前記位置制限引っ掛かり溝の中には長スライドロッドがスライドできるように連結され、前記長スライドロッドの上端面には前記移動スライド溝とスライドできるように連結された移動機構が固定的に設けられ、前記位置制限機構は前記位置制限引っ掛かり溝とスライドできるように連結されることができ、前記長スライドロッドの右端には押し動かしブロックが固定的に設けられ、前記連動チャンバと前記駆動チャンバとの間にはロープ溝が連結され、前記押し動かしブロックと前記連動板との間にはロープが連結されていることを特徴とする請求項１に記載の名画展示用スポットライト。
【発明の詳細な説明】
【技術分野】
【０００１】
本発明はライト分野を取り上げて、具体的には名画展示用スポットライトである。
【背景技術】
【０００２】
名画の画展では、画の細かいところまで展示できるように、スポットライトを名画に当てる。しかし、伝統的なライトには照明機能は付いているが、セキュリティ機能は付いていないため、画を安全に保護することができない。
【先行技術文献】
【特許文献】
【０００３】
【特許文献１】中国特許出願公開第101981371号明細書
【発明の概要】
【発明が解決しようとする課題】
【０００４】
本発明の目的は名画展示用スポットライトを提供し、それは上記の現在の技術中の問題を解決できる。
【課題を解決するための手段】
【０００５】
上記の課題を解決するため、本発明は以下の技術プランを採用する：本発明の名画展示用スポットライトは、壁を含み、前記壁の中には駆動チャンバが設けられ、前記駆動チャンバの右端には連動チャンバが設けられ、前記駆動チャンバの中には外部空間と連通した横向きスライド溝が設けられ、前記横向きスライド溝の下端壁には外部空間と連通した展示溝が設けられ、前記展示溝と前記駆動チャンバとの間には連結スライド溝が連通するように設けられ、前記駆動チャンバの右端壁にはモーターが設けられ、前記モーターの中にはモーター軸が設けられ、前記モーター軸の右端と前記連動チャンバの右端壁とが回転できるように連結され、前記モーター軸の左端には第一ネジ山ブロックと第二ネジ山ブロックとがそれぞれねじ山によって連結され、前記第一ネジ山ブロックと前記第二ネジ山ブロックとが前記横向きスライド溝とスライドできるように連結され、前記第一ネジ山ブロックの下端面には連動板が固定的に設けられ、前記第二ネジ山ブロックの左端面には小ブロックが上下に対称的に固定的に設けられ、前記小ブロックには凹ブロックがスライドできるように連結され、前記凹ブロックと前記小ブロックとにはそれぞれ小バネが連結され、前記凹ブロックの中には回転軸が回転できるように連結され、前記回転軸には保護板が固定的に設けられ、前記保護板の下端面にはロック溝が設けられ、前記保護板の右端面にはライトが三つ固定的に設けられ、前記保護板の左端面には第二通電ヘッドが固定的に設けられ、前記横向きスライド溝の上端面には第一通電ヘッドが固定的に設けられ、前記第一通電ヘッドと前記第二通電ヘッドとが接続されたとき、前記ライトが光を放ち、前記連動チャンバの左右端壁には貫通軸が回転できるように連結され、前記貫通軸と前記モーター軸とにはプーリーが上下に対称的に固定的に設けられ、前記プーリーの間にはベルトが連結され、前記貫通軸の左端が左へ伸びて前記連動チャンバの左端壁を貫通して前記駆動チャンバの中に入り、且つ前記駆動チャンバの右端壁と回転できるように連結され、前記貫通軸の左端には前記連結スライド溝とスライドできるように連結された第三ネジ山ブロックがねじ山によって連結され、前記連結スライド溝と前記モーター軸とのねじ山の方向が逆であり、前記展示溝の中には名画を置くことができる展示装置が設けられ、前記駆動チャンバと前記連動チャンバとの中には名画の安全を保護するロック解除装置も設けられている。
【０００６】
優選の技術プランとして、前記展示装置は前記展示溝の中にスライドできるように取り付けられた額を含み、前記額の中にはガラスが設けられ、前記ガラスを通して前記額の内部を見ることができ、前記額と前記展示溝との間には押し動かしバネ上下に対称的に連結され、前記第三ねじ山ブロックは前記額を押し動かすことができる。
【０００７】
優選の技術プランとして、前記ロック解除装置は前記駆動チャンバの中にスライドできるように取り付けられた長板を含み、前記長板の上端面には前記連動板とスライドできるように連結されることができる台形ブロックが固定的に設けられ、前記台形ブロックの右端面には位置制限スライド溝が設けられ、前記位置制限スライド溝の中には位置制限機構が設けられ、前記長板の下端面には連結バネが左右に対称的に連結され、前記駆動チャンバの上端壁には前記展示溝と連通した小孔が設けられ、前記長板の上端面には前記ロック溝とスライドできるように連結されたロックブロックが固定的に設けられ、前記駆動チャンバと前記連動チャンバとの間には位置制限引っ掛かり溝が連結され、前記位置制限引っ掛かり溝の上端壁には移動スライド溝が設けられ、前記位置制限引っ掛かり溝の中には長スライドロッドがスライドできるように連結され、前記長スライドロッドの上端面には前記移動スライド溝とスライドできるように連結された移動機構が固定的に設けられ、前記位置制限機構は前記位置制限引っ掛かり溝とスライドできるように連結されることができ、前記長スライドロッドの右端には押し動かしブロックが固定的に設けられ、前記連動チャンバと前記駆動チャンバとの間にはロープ溝が連結され、前記押し動かしブロックと前記連動板との間にはロープが連結されている。
【発明の効果】
【０００８】
本装置は画展で展示された名画を照らすことができ、展示効果を向上させ、同時に本装置には一定のセキュリティ機能が付いており、展示が終わった後に名画を壁にロックすることができ、名画の安全を守る。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の名画展示用スポットライトの全体断面の正面構成略図
【図２】図２は図１のＡの部分拡大図
【図３】図３は図１のＢの部分拡大図
【図４】図４は図１のＣの部分拡大図
【図５】図５は図４のＤ―Ｄ方向の断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜５を参照し、本発明の名画展示用スポットライトは、壁２１を含み、前記壁２１の中には駆動チャンバ２３が設けられ、前記駆動チャンバ２３の右端には連動チャンバ２６が設けられ、前記駆動チャンバ２３の中には外部空間と連通した横向きスライド溝５８が設けられ、前記横向きスライド溝５８の下端壁には外部空間と連通した展示溝３５が設けられ、前記展示溝３５と前記駆動チャンバ２３との間には連結スライド溝３４が連通するように設けられ、前記駆動チャンバ２３の右端壁にはモーター２４が設けられ、前記モーター２４の中にはモーター軸２２が設けられ、前記モーター軸２２の右端と前記連動チャンバ２６の右端壁とが回転できるように連結され、前記モーター軸２２の左端には第一ネジ山ブロック５９と第二ネジ山ブロック５７とがそれぞれねじ山によって連結され、前記第一ネジ山ブロック５９と前記第二ネジ山ブロック５７とが前記横向きスライド溝５８とスライドできるように連結され、前記第一ネジ山ブロック５９の下端面には連動板６０が固定的に設けられ、前記第二ネジ山ブロック５７の左端面には小ブロック６７が上下に対称的に固定的に設けられ、前記小ブロック６７には凹ブロック５６がスライドできるように連結され、前記凹ブロック５６と前記小ブロック６７とにはそれぞれ小バネ５４が連結され、前記凹ブロック５６の中には回転軸５３が回転できるように連結され、前記回転軸５３には保護板６６が固定的に設けられ、前記保護板６６の下端面にはロック溝４１が設けられ、前記保護板６６の右端面にはライト６５が三つ固定的に設けられ、前記保護板６６の左端面には第二通電ヘッド５２が固定的に設けられ、前記横向きスライド溝５８の上端面には第一通電ヘッド５５が固定的に設けられ、前記第一通電ヘッド５５と前記第二通電ヘッド５２とが接続されたとき、前記ライト６５が光を放ち、前記連動チャンバ２６の左右端壁には貫通軸２８が回転できるように連結され、前記貫通軸２８と前記モーター軸２２とにはプーリー２５が上下に対称的に固定的に設けられ、前記プーリー２５の間にはベルト２７が連結され、前記貫通軸２８の左端が左へ伸びて前記連動チャンバ２６の左端壁を貫通して前記駆動チャンバ２３の中に入り、且つ前記駆動チャンバ２３の右端壁と回転できるように連結され、前記貫通軸２８の左端には前記連結スライド溝３４とスライドできるように連結された第三ネジ山ブロック６２がねじ山によって連結され、前記連結スライド溝３４と前記モーター軸２２とのねじ山の方向が逆であり、前記展示溝３５の中には名画を置くことができる展示装置１０１が設けられ、前記駆動チャンバ２３と前記連動チャンバ２６との中には名画の安全を保護するロック解除装置１０２も設けられている。
【００１４】
前記展示装置１０１は前記展示溝３５の中にスライドできるように取り付けられた額６３を含み、前記額６３の中にはガラス６４が設けられ、前記ガラス６４を通して前記額６３の内部を見ることができ、前記額６３と前記展示溝３５との間には押し動かしバネ６１上下に対称的に連結され、前記第三ねじ山ブロック６２は前記額６３を押し動かすことができ、前記第三ネジ山ブロック６２が左へ移動するとき、前記額６３を左へ押し動かし、前記展示装置１０１の作用は名画を押し出して展示することである。
【００１５】
前記ロック解除装置１０２は前記駆動チャンバ２３の中にスライドできるように取り付けられた長板３８を含み、前記長板３８の上端面には前記連動板６０とスライドできるように連結されることができる台形ブロック３２が固定的に設けられ、前記台形ブロック３２の右端面には位置制限スライド溝４５が設けられ、前記位置制限スライド溝４５の中には位置制限機構４６が設けられ、前記長板３８の下端面には連結バネ３６が左右に対称的に連結され、前記駆動チャンバ２３の上端壁には前記展示溝３５と連通した小孔３９が設けられ、前記長板３８の上端面には前記ロック溝４１とスライドできるように連結されたロックブロック４０が固定的に設けられ、前記駆動チャンバ２３と前記連動チャンバ２６との間には位置制限引っ掛かり溝５１が連結され、前記位置制限引っ掛かり溝５１の上端壁には移動スライド溝４９が設けられ、前記位置制限引っ掛かり溝５１の中には長スライドロッド４２がスライドできるように連結され、前記長スライドロッド４２の上端面には前記移動スライド溝４９とスライドできるように連結された移動機構５０が固定的に設けられ、前記位置制限機構４６は前記位置制限引っ掛かり溝５１とスライドできるように連結されることができ、前記長スライドロッド４２の右端には押し動かしブロック３０が固定的に設けられ、前記連動チャンバ２６と前記駆動チャンバ２３との間にはロープ溝４７が連結され、前記押し動かしブロック３０と前記連動板６０との間にはロープ４８が連結され、前記連動板６０が右へ移動するとき、前記台形ブロック３２により前記長板３８と前記ロックブロック４０とを下へ押し動かし、これによって前記ロックブロック４０を前記ロック溝４１から離れさせ、同時に、前記移動機構５０が前記長スライドロッド４２と前記押し動かしブロック３０とを右へ移動連動させ、前記位置制限機構４６が前記位置制限引っ掛かり溝５１の中に引っ掛かり、ロックを解除し、前記ロック解除装置１０２の作用は画展が行われていないときに名画に安全の環境を提供することである。
【００１６】
使用するとき、まずモーター２４を始動し、これによってモーター軸２２を回転連動させ、第一ネジ山ブロック５９と第二ネジ山ブロック５７とを右へ移動させ、連動板６０が右へ移動するとき、台形ブロック３２により長板３８とロックブロック４０とを下へ押し動かし、これによってロックブロック４０をロック溝４１から離れさせ、同時に、移動機構５０が長スライドロッド４２と押し動かしブロック３０とを右へ移動連動させ、位置制限機構４６が位置制限引っ掛かり溝５１の中に引っ掛かり、小バネ５４が凹ブロック５６を右へ引き動かし、回転軸５３が保護板６６を回転連動させ、第二通電ヘッド５２が横向きスライド溝５８の中に入り、第一通電ヘッド５５と第二通電ヘッド５２とが接続されたとき、ライト６５が光を放ち、プーリー２５が貫通軸２８を回転連動させ、これによって第三ネジ山ブロック６２を左へ移動連動させ、これによって額６３を左へ押し動かし、ライト６５が額６３の中の画を照らし、閉めるときに、モーター２４を反転させ、第一ネジ山ブロック５９と第二ネジ山ブロック５７とが左へ移動し、保護板６６が復帰し、押しブロック３０が長スライドロッド４２を一番左端に運動連動させたときに位置制限機構４６を位置制限スライド溝４５に押し入れ、ロックブロック４０が復帰し保護板６６を固定する。
【００１７】
本発明の有益効果は：本装置は画展で展示された名画を照らすことができ、展示効果を向上させ、同時に本装置には一定のセキュリティ機能が付いており、展示が終わった後に名画を壁にロックすることができ、名画の安全を守る。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184506.tif 000003
【図２】
2020184506.tif 000004
【図３】
2020184506.tif 000005
【図４】
2020184506.tif 000006
【図５】
2020184506.tif 000007
【手続補正書】
【提出日】令和1年9月5日(2019.9.5)
【手続補正１】
【補正対象書類名】特許請求の範囲
【補正対象項目名】請求項２
【補正方法】変更
【補正の内容】
【請求項２】
前記展示装置は前記展示溝の中にスライドできるように取り付けられた額を含み、前記額の中にはガラスが設けられ、前記ガラスを通して前記額の内部を見ることができ、前記額と前記展示溝との間には押し動かしバネ上下に対称的に連結され、前記第三ネジ山ブロックは前記額を押し動かすことができることを特徴とする請求項１に記載の名画展示用スポットライト。
【手続補正２】
【補正対象書類名】明細書
【補正対象項目名】全文
【補正方法】変更
【補正の内容】
【発明の詳細な説明】
【技術分野】
【０００１】
本発明はライト分野を取り上げて、具体的には名画展示用スポットライトである。
【背景技術】
【０００２】
名画の画展では、画の細かいところまで展示できるように、スポットライトを名画に当てる。しかし、伝統的なライトには照明機能は付いているが、セキュリティ機能は付いていないため、画を安全に保護することができない。
【先行技術文献】
【特許文献】
【０００３】
【特許文献１】中国特許出願公開第101981371号明細書
【発明の概要】
【発明が解決しようとする課題】
【０００４】
本発明の目的は名画展示用スポットライトを提供し、それは上記の現在の技術中の問題を解決できる。
【課題を解決するための手段】
【０００５】
上記の課題を解決するため、本発明は以下の技術プランを採用する：本発明の名画展示用スポットライトは、壁を含み、前記壁の中には駆動チャンバが設けられ、前記駆動チャンバの右端には連動チャンバが設けられ、前記駆動チャンバの中には外部空間と連通した横向きスライド溝が設けられ、前記横向きスライド溝の下端壁には外部空間と連通した展示溝が設けられ、前記展示溝と前記駆動チャンバとの間には連結スライド溝が連通するように設けられ、前記駆動チャンバの右端壁にはモーターが設けられ、前記モーターの中にはモーター軸が設けられ、前記モーター軸の右端と前記連動チャンバの右端壁とが回転できるように連結され、前記モーター軸の左端には第一ネジ山ブロックと第二ネジ山ブロックとがそれぞれねじ山によって連結され、前記第一ネジ山ブロックと前記第二ネジ山ブロックとが前記横向きスライド溝とスライドできるように連結され、前記第一ネジ山ブロックの下端面には連動板が固定的に設けられ、前記第二ネジ山ブロックの左端面には小ブロックが上下に対称的に固定的に設けられ、前記小ブロックには凹ブロックがスライドできるように連結され、前記凹ブロックと前記小ブロックとにはそれぞれ小バネが連結され、前記凹ブロックの中には回転軸が回転できるように連結され、前記回転軸には保護板が固定的に設けられ、前記保護板の下端面にはロック溝が設けられ、前記保護板の右端面にはライトが三つ固定的に設けられ、前記保護板の左端面には第二通電ヘッドが固定的に設けられ、前記横向きスライド溝の上端面には第一通電ヘッドが固定的に設けられ、前記第一通電ヘッドと前記第二通電ヘッドとが接続されたとき、前記ライトが光を放ち、前記連動チャンバの左右端壁には貫通軸が回転できるように連結され、前記貫通軸と前記モーター軸とにはプーリーが上下に対称的に固定的に設けられ、前記プーリーの間にはベルトが連結され、前記貫通軸の左端が左へ伸びて前記連動チャンバの左端壁を貫通して前記駆動チャンバの中に入り、且つ前記駆動チャンバの右端壁と回転できるように連結され、前記貫通軸の左端には前記連結スライド溝とスライドできるように連結された第三ネジ山ブロックがねじ山によって連結され、前記連結スライド溝と前記モーター軸とのねじ山の方向が逆であり、前記展示溝の中には名画を置くことができる展示装置が設けられ、前記駆動チャンバと前記連動チャンバとの中には名画の安全を保護するロック解除装置も設けられている。
【０００６】
優選の技術プランとして、前記展示装置は前記展示溝の中にスライドできるように取り付けられた額を含み、前記額の中にはガラスが設けられ、前記ガラスを通して前記額の内部を見ることができ、前記額と前記展示溝との間には押し動かしバネ上下に対称的に連結され、前記第三ネジ山ブロックは前記額を押し動かすことができる。
【０００７】
優選の技術プランとして、前記ロック解除装置は前記駆動チャンバの中にスライドできるように取り付けられた長板を含み、前記長板の上端面には前記連動板とスライドできるように連結されることができる台形ブロックが固定的に設けられ、前記台形ブロックの右端面には位置制限スライド溝が設けられ、前記位置制限スライド溝の中には位置制限機構が設けられ、前記長板の下端面には連結バネが左右に対称的に連結され、前記駆動チャンバの上端壁には前記展示溝と連通した小孔が設けられ、前記長板の上端面には前記ロック溝とスライドできるように連結されたロックブロックが固定的に設けられ、前記駆動チャンバと前記連動チャンバとの間には位置制限引っ掛かり溝が連結され、前記位置制限引っ掛かり溝の上端壁には移動スライド溝が設けられ、前記位置制限引っ掛かり溝の中には長スライドロッドがスライドできるように連結され、前記長スライドロッドの上端面には前記移動スライド溝とスライドできるように連結された移動機構が固定的に設けられ、前記位置制限機構は前記位置制限引っ掛かり溝とスライドできるように連結されることができ、前記長スライドロッドの右端には押し動かしブロックが固定的に設けられ、前記連動チャンバと前記駆動チャンバとの間にはロープ溝が連結され、前記押し動かしブロックと前記連動板との間にはロープが連結されている。
【発明の効果】
【０００８】
本装置は画展で展示された名画を照らすことができ、展示効果を向上させ、同時に本装置には一定のセキュリティ機能が付いており、展示が終わった後に名画を壁にロックすることができ、名画の安全を守る。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の名画展示用スポットライトの全体断面の正面構成略図
【図２】図２は図１のＡの部分拡大図
【図３】図３は図１のＢの部分拡大図
【図４】図４は図１のＣの部分拡大図
【図５】図５は図４のＤ―Ｄ方向の断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜５を参照し、本発明の名画展示用スポットライトは、壁２１を含み、前記壁２１の中には駆動チャンバ２３が設けられ、前記駆動チャンバ２３の右端には連動チャンバ２６が設けられ、前記駆動チャンバ２３の中には外部空間と連通した横向きスライド溝５８が設けられ、前記横向きスライド溝５８の下端壁には外部空間と連通した展示溝３５が設けられ、前記展示溝３５と前記駆動チャンバ２３との間には連結スライド溝３４が連通するように設けられ、前記駆動チャンバ２３の右端壁にはモーター２４が設けられ、前記モーター２４の中にはモーター軸２２が設けられ、前記モーター軸２２の右端と前記連動チャンバ２６の右端壁とが回転できるように連結され、前記モーター軸２２の左端には第一ネジ山ブロック５９と第二ネジ山ブロック５７とがそれぞれねじ山によって連結され、前記第一ネジ山ブロック５９と前記第二ネジ山ブロック５７とが前記横向きスライド溝５８とスライドできるように連結され、前記第一ネジ山ブロック５９の下端面には連動板６０が固定的に設けられ、前記第二ネジ山ブロック５７の左端面には小ブロック６７が上下に対称的に固定的に設けられ、前記小ブロック６７には凹ブロック５６がスライドできるように連結され、前記凹ブロック５６と前記小ブロック６７とにはそれぞれ小バネ５４が連結され、前記凹ブロック５６の中には回転軸５３が回転できるように連結され、前記回転軸５３には保護板６６が固定的に設けられ、前記保護板６６の下端面にはロック溝４１が設けられ、前記保護板６６の右端面にはライト６５が三つ固定的に設けられ、前記保護板６６の左端面には第二通電ヘッド５２が固定的に設けられ、前記横向きスライド溝５８の上端面には第一通電ヘッド５５が固定的に設けられ、前記第一通電ヘッド５５と前記第二通電ヘッド５２とが接続されたとき、前記ライト６５が光を放ち、前記連動チャンバ２６の左右端壁には貫通軸２８が回転できるように連結され、前記貫通軸２８と前記モーター軸２２とにはプーリー２５が上下に対称的に固定的に設けられ、前記プーリー２５の間にはベルト２７が連結され、前記貫通軸２８の左端が左へ伸びて前記連動チャンバ２６の左端壁を貫通して前記駆動チャンバ２３の中に入り、且つ前記駆動チャンバ２３の右端壁と回転できるように連結され、前記貫通軸２８の左端には前記連結スライド溝３４とスライドできるように連結された第三ネジ山ブロック６２がねじ山によって連結され、前記連結スライド溝３４と前記モーター軸２２とのねじ山の方向が逆であり、前記展示溝３５の中には名画を置くことができる展示装置１０１が設けられ、前記駆動チャンバ２３と前記連動チャンバ２６との中には名画の安全を保護するロック解除装置１０２も設けられている。
【００１４】
前記展示装置１０１は前記展示溝３５の中にスライドできるように取り付けられた額６３を含み、前記額６３の中にはガラス６４が設けられ、前記ガラス６４を通して前記額６３の内部を見ることができ、前記額６３と前記展示溝３５との間には押し動かしバネ６１上下に対称的に連結され、前記第三ネジ山ブロック６２は前記額６３を押し動かすことができ、前記第三ネジ山ブロック６２が左へ移動するとき、前記額６３を左へ押し動かし、前記展示装置１０１の作用は名画を押し出して展示することである。
【００１５】
前記ロック解除装置１０２は前記駆動チャンバ２３の中にスライドできるように取り付けられた長板３８を含み、前記長板３８の上端面には前記連動板６０とスライドできるように連結されることができる台形ブロック３２が固定的に設けられ、前記台形ブロック３２の右端面には位置制限スライド溝４５が設けられ、前記位置制限スライド溝４５の中には位置制限機構４６が設けられ、前記長板３８の下端面には連結バネ３６が左右に対称的に連結され、前記駆動チャンバ２３の上端壁には前記展示溝３５と連通した小孔３９が設けられ、前記長板３８の上端面には前記ロック溝４１とスライドできるように連結されたロックブロック４０が固定的に設けられ、前記駆動チャンバ２３と前記連動チャンバ２６との間には位置制限引っ掛かり溝５１が連結され、前記位置制限引っ掛かり溝５１の上端壁には移動スライド溝４９が設けられ、前記位置制限引っ掛かり溝５１の中には長スライドロッド４２がスライドできるように連結され、前記長スライドロッド４２の上端面には前記移動スライド溝４９とスライドできるように連結された移動機構５０が固定的に設けられ、前記位置制限機構４６は前記位置制限引っ掛かり溝５１とスライドできるように連結されることができ、前記長スライドロッド４２の右端には押し動かしブロック３０が固定的に設けられ、前記連動チャンバ２６と前記駆動チャンバ２３との間にはロープ溝４７が連結され、前記押し動かしブロック３０と前記連動板６０との間にはロープ４８が連結され、前記連動板６０が右へ移動するとき、前記台形ブロック３２により前記長板３８と前記ロックブロック４０とを下へ押し動かし、これによって前記ロックブロック４０を前記ロック溝４１から離れさせ、同時に、前記移動機構５０が前記長スライドロッド４２と前記押し動かしブロック３０とを右へ移動連動させ、前記位置制限機構４６が前記位置制限引っ掛かり溝５１の中に引っ掛かり、ロックを解除し、前記ロック解除装置１０２の作用は画展が行われていないときに名画に安全の環境を提供することである。
【００１６】
使用するとき、まずモーター２４を始動し、これによってモーター軸２２を回転連動させ、第一ネジ山ブロック５９と第二ネジ山ブロック５７とを右へ移動させ、連動板６０が右へ移動するとき、台形ブロック３２により長板３８とロックブロック４０とを下へ押し動かし、これによってロックブロック４０をロック溝４１から離れさせ、同時に、移動機構５０が長スライドロッド４２と押し動かしブロック３０とを右へ移動連動させ、位置制限機構４６が位置制限引っ掛かり溝５１の中に引っ掛かり、小バネ５４が凹ブロック５６を右へ引き動かし、回転軸５３が保護板６６を回転連動させ、第二通電ヘッド５２が横向きスライド溝５８の中に入り、第一通電ヘッド５５と第二通電ヘッド５２とが接続されたとき、ライト６５が光を放ち、プーリー２５が貫通軸２８を回転連動させ、これによって第三ネジ山ブロック６２を左へ移動連動させ、これによって額６３を左へ押し動かし、ライト６５が額６３の中の画を照らし、閉めるときに、モーター２４を反転させ、第一ネジ山ブロック５９と第二ネジ山ブロック５７とが左へ移動し、保護板６６が復帰し、押しブロック３０が長スライドロッド４２を一番左端に運動連動させたときに位置制限機構４６を位置制限スライド溝４５に押し入れ、ロックブロック４０が復帰し保護板６６を固定する。
【００１７】
本発明の有益効果は：本装置は画展で展示された名画を照らすことができ、展示効果を向上させ、同時に本装置には一定のセキュリティ機能が付いており、展示が終わった後に名画を壁にロックすることができ、名画の安全を守る。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。